(57)【要約】      （修正有）【課題】結束後の解錠が容易に行えるように改良されたリターナブル荷崩れ防止ベルトを提供する。【解決手段】リターナブル荷崩れ防止ベルト１は、結束用ベルト２と、結束用ベルト２の一方端２ａに取り付けられた同形又は略同形の上下２個のリング３，４と、を備え、結束用ベルトの他方端２ｂを前記上下２個のリング３，４の下方より挿通し上部リング３のベルト係合辺３ａに巻回し、さらに下部リング４のベルト係合辺４ａの内縁に接触させながら引っ張ることで、結束用ベルト２を係止状態に保つ荷崩れ防止ベルトに係る。上部リング３のベルト係合辺３ａに、上下２個のリング３，４が取り付けられた結束用ベルトの一方端２ａから遠ざかる方向に突出して延びるリング状の取っ手１２が一体的に設けられている。【選択図】図１
2018177340.tif 000002
【特許請求の範囲】
【請求項１】
結束用ベルトと、
前記結束用ベルトの一方端に取り付けられた上下２個のリングと、を備え、
前記結束用ベルトの他方端を前記上下２個のリングの下方より挿通し上部リングのベルト係合辺に巻回し、さらに下部リングのベルト係合辺の内縁に接触させながら引っ張ることで、前記結束用ベルトを係止状態に保つ荷崩れ防止ベルトにおいて、
前記上部リングの前記ベルト係合辺に、前記上下２個のリングが取り付けられた前記結束用ベルトの前記一方端から遠ざかる方向に突出して延びるリング状の取っ手が一体的に設けられていることを特徴とするリターナブル荷崩れ防止ベルト。
【請求項２】
前記リング状の取っ手の、前記上部リングの前記ベルト係合辺から延びる方向の長さは、前記結束用ベルトの前記一方端が取り付けられた前記上部リングの辺と、前記上部リングの前記ベルト係合辺と、を最短の線分で結んだときの、その線分の長さと同じか、またはそれよりも長くされている請求項１に記載のリターナブル荷崩れ防止ベルト。
【請求項３】
前記リング状の取っ手は、円弧状に丸くされている、請求項１又は２に記載のリターナブル荷崩れ防止ベルト。
【請求項４】
前記リング状の取っ手は、前記結束用ベルトを前記係止状態にしたとき、該結束用ベルトの表面から遠ざかる方向に折れ曲がるように前記ベルト係合辺に設けられている請求項１から３のいずれか１項に記載のリターナブル荷崩れ防止ベルト。
【発明の詳細な説明】
【技術分野】
【０００１】
本発明は一般に荷崩れ防止ベルトに関するものであり、より特定的には、結束後の解錠を容易に行えるように改良された、通いのリターナブル荷崩れ防止ベルトに関する。
【背景技術】
【０００２】
ダンボール箱を束ねて固定して荷崩れを防止する従来の荷崩れ防止ベルトは、ストレッチフィルムで形成され、ユーザに搬送された後、廃棄されている。その廃棄量は年間５００Ｋｇを超えている。一方で、廃棄物量の低減、資源の節約の見地から、供給者と消費者との間を行き交い、繰り返し使用できる通いの荷崩れ防止ベルト（以下、リターナブル（returnable）荷崩れ防止ベルトという）が提案され市場に出始めている。図５に示す、従来のリターナブル荷崩れ防止ベルト１は、結束用ベルト２と、結束用ベルト２の一方端２ａに取り付けられた同形の上下２個のリング３，４とを備える。結束用ベルト２の他方端２ｂには、手で把持できる持ち紐５が糸１１で縫い付けられている。結束用ベルトの他方端２ｂの近傍であって、上部リング３が設けられる側の面に面ファスナの雄９ａが設けられ、これから離れた同じ面に面ファスナの雌９ｂが設けられている。持ち紐５は、後述するように、面ファスナー９ａ，９ｂの結合を解く作業を容易にする。
【０００３】
リターナブル荷崩れ防止ベルト１は、図６に示すように、例えばパレット６の上に置かれたフィルムロール７入りの複数個のダンボール箱８を束ねて（結束して）、荷崩れを防止するために用いられる。
【０００４】
結束の動作を説明すると、図６を参照して、パレット６の上に複数個のダンボール箱８を載せて、結束用ベルト２でこれら複数個のダンボール箱８を束ねて、次に、同図のＶＩＩ−ＶＩＩ線に沿う方向の断面図である図７（Ａ）を参照して、結束用ベルト２の他方端２ｂを上下２個のリング３、４の下方より挿通し上部リング３のベルト係合辺３ａに巻回し、さらに下部リング４のベルト係合辺４ａの内縁に接触させながら引っ張ることで、結束用ベルト２を係止状態に保つ。図７（Ｂ）に示すように、結束用ベルトの他方端２ｂの近傍に設けられた面ファスナの雄９ａと、これから離れた同じ面に設けられた面ファスナの雌９ｂを脱着可能な状態で結合して、固定する。このように束ねられた複数個のダンボール箱８は、パレット６と共に、荷崩れが防止されながら、ユーザに向けてトラックなどで搬送される。
【０００５】
他の先行技術として、上記の他に、上下リングを備え、上部リングのベルト係合辺に突起物を設ける包装用結束バンドの締止具を開示する特許文献１があるが、十分な効果は得られない。
【先行技術文献】
【特許文献】
【０００６】
【特許文献１】公開実用昭６２−１１５３８０号公報
【発明の概要】
【発明が解決しようとする課題】
【０００７】
従来のリターナブル荷崩れ防止ベルトは以上のように構成されているが、図８（Ａ）を参照して、ユーザに到着した後の、結束を解く解錠の作業性が非常に悪いという問題点があった。すなわち、指１０で持ち紐５を掴むことによって面ファスナー９ａ、９ｂの結合の解除は容易にできるものの、図８（Ｂ）に示すように、上下２個のリング３、４の間に挟まれしっかりと締め付けられた結束用ベルト２の他方端２ｂを指１０で緩めて取り外す作業が難業であり、作業者の腰痛負荷になり、また指１０を傷めてしまう等の問題点があった。
【０００８】
この発明は、上記のような問題点を解決するためになされたもので、結束後の解錠が容易に行えるように改良されたリターナブル荷崩れ防止ベルトを提供することを目的とする。
【０００９】
この発明の他の目的は、ダンボール箱の表面を傷つけないリターナブル荷崩れ防止ベルトを提供することにある。
【課題を解決するための手段】
【００１０】
本発明に係るリターナブル荷崩れ防止ベルトは、結束用ベルトと、該結束用ベルトの一方端に取り付けられた同形又は略同形の上下２個のリングと、を備え、上記結束用ベルトの他方端を上記上下２個のリングの下方より挿通し上部リングのベルト係合辺に巻回し、さらに下部リングのベルト係合辺の内縁に接触させながら引っ張ることで、上記結束用ベルトを係止状態に保つ荷崩れ防止ベルトに係る。そして、上記上部リングの上記ベルト係合辺に、上記上下２個のリングが取り付けられた上記結束用ベルトの上記一方端から遠ざかる方向に突出して延びるリング状の取っ手が一体的に設けられていることを特徴とする。
【００１１】
上記上部リングの上記ベルト係合辺に設けられたリング状の取っ手を持ち上げることによって、解錠を行える。
【００１２】
上記リング状の取っ手の、上記上部リングの上記ベルト係合辺から延びる方向の長さは、上記結束用ベルトの上記一方端が取り付けられた上記上部リングの辺と、該上部リングの上記ベルト係合辺と、を最短の線分で結んだときの、その線分の長さと同じか、またはそれよりも長くされているのが好ましい。リング状の取っ手の長さが長いほど、てこの原理により、解錠に必要な力は少なくてすみ、上下２個のリングの間に挟まれ締め付けられた結束用ベルトを楽に緩めることができる。
【００１３】
上記リング状の取っ手は、円弧状に丸くされているのが好ましい。円弧状に丸くされていると、結束、搬送、解錠の際に、指およびダンボール箱の表面を傷つけない。
【００１４】
上記リング状の取っ手は、上記結束用ベルトを上記係止状態にしたとき、該結束用ベルトの表面から遠ざかる方向に折れ曲がるように上記ベルト係合辺に設けられているのが好ましい。リング状の取っ手と結束用ベルトの表面との間に隙間ができ、この隙間に指を添えることができる。
【００１５】
上記結束用ベルトは、少なくとも５０ｍｍの幅を有するのが好ましい。幅が広いと結束力が大きくなり、複数のダンボール箱をしっかりと固定でき、荷崩れをより効率よく防止できる。ベルト長さは、例えばＯＰＰ製品の規格積み合わせ（４種）に合うように調節される。一般に２ｍを超える場合が多い。
【発明の効果】
【００１６】
本発明に係るリターナブル荷崩れ防止ベルトによれば、上部リングのベルト係合辺に、上下２個のリングが取り付けられた結束用ベルトの一方端から遠ざかる方向に突出して延びるリング状の取っ手が一体的に設けられているので、これを持ち上げることによって、てこの原理を利用して、簡単に解錠を行える。その結果、解錠の作業が容易となり、ひいては作業者の腰痛負荷などが大幅に軽減される。
【図面の簡単な説明】
【００１７】
【図１】（Ａ）は本発明の実施例に係るリターナブル荷崩れ防止ベルトに用いられる上下２個のリングの斜視図であり、（Ｂ）はリターナブル荷崩れ防止ベルトの斜視図である。
【図２】本発明の実施例に係るリターナブル荷崩れ防止ベルトを用いて結束された複数個のダンボール箱の斜視図である。
【図３】（Ａ）は結束の動作を説明する第１図であり、（Ｂ）は結束の動作を説明する第２図（図２におけるＩＩＩ−ＩＩＩ線に沿う断面図）である。
【図４】（Ａ）は解錠の動作を説明する第１図であり、（Ｂ）はその第２図であり、（Ｃ）はその第３図である。
【図５】従来のリターナブル荷崩れ防止ベルトの斜視図である。
【図６】リターナブル荷崩れ防止ベルトを用いて結束された複数個のダンボール箱の斜視図である。
【図７】（Ａ）は従来のリターナブル荷崩れ防止ベルトを用いて結束の動作を説明する第１図であり、（Ｂ）はその第２図（図６におけるＶＩＩ−ＶＩＩ線に沿う断面図）である。
【図８】（Ａ）は従来のリターナブル荷崩れ防止ベルトの解錠の動作を説明する第１図であり、（Ｂ）はその第２図である。
【発明を実施するための形態】
【００１８】
結束後の解錠が容易に行えるように改良されたリターナブル荷崩れ防止ベルトを得るという目的を、上部リングのベルト係合辺に、上下２個のリングが取り付けられた結束用ベルトの一方端から遠ざかる方向に突出して延びるリング状の取っ手を一体的に設けることによって実現した。
【００１９】
以下、本発明の実施例を、図面を用いて説明する。各図中、同一又は相当する部分には同一の参照番号を付し、その説明を繰り返さない。
【実施例１】
【００２０】
図１（Ａ），（Ｂ）を参照して、本発明の実施例に係るリターナブル荷崩れ防止ベルト１は、結束用ベルト２と上下２個のリング３，４とを備える。上下２個のリング３，４は結束用ベルトの一方端２ａに取り付けられている。取り付けの態様は、例えば結束用ベルトの一方端２ａが上下リング３，４の上方より挿通され、ループを形成し、ループの端を結束用ベルト２に糸１１により縫い付けて行われる。上部リング３のベルト係合辺３ａに、上下２個のリング３，４が取り付けられた結束用ベルト２の一方端２ａから遠ざかる方向に突出して延びるリング状の取っ手１２が一体的に設けられている。リング状の取っ手１２は、円弧状に丸くされている。
【００２１】
後述するように、リング状の取っ手１２の、上部リング３のベルト係合辺３ａから延びる方向の長さは、結束用ベルト２の一方端２ａが取り付けられた上部リング３の辺３ｂとベルト係合辺３ａとを最短の線分で結んだときの、その線分の長さと同じか、またはそれよりも長くされている。また、後述するように、リング状の取っ手１２は、結束用ベルト２を係止状態にしたとき、該結束用ベルト２の表面から遠ざかる方向に折れ曲がるようにベルト係合辺３ａに設けられている。
【００２２】
結束用ベルト２の他方端２ｂには、指で把持できる持ち紐５が設けられている。結束用ベルトの他方端２ｂの近傍であって、リング状の取っ手１２が突出する側の面に面ファスナ（例えばマジックテープ（登録商標））の雄９ａが設けられ、これから離れた同じ面に、面ファスナの雄９ａより長尺（例えば、１１倍以上）の面ファスナの雌９ｂが設けられている。結束用ベルトの他方端２ｂから遠い側の面ファスナーの雌９ｂを、結束用ベルトの他方端２ｂに近い側の面ファスナーの雄９ａより長尺としたのは、被結束物の種々の胴回りの太さに対応できるようにしたものである。持ち紐５は、後述するように、面ファスナー９ａ，９ｂの結合を解く作業を容易にする。
【００２３】
リターナブル荷崩れ防止ベルト１は、図２に示すように、例えばパレット６の上に置かれたフィルムロール７入りの複数個のダンボール箱８を束ねるために用いられる。これは、供給者と消費者との間を行き交い、繰り返し使用できる通いのものである。
【００２４】
結束の動作について説明する。図２と、図２におけるＩＩＩ−ＩＩＩ線に沿う方向の断面図である図３（Ａ）を参照して、結束用ベルト２の他方端２ｂを上下２個のリング３，４の下方より挿通し上部リング３のベルト係合辺３ａに巻回し、さらに下部リング４のベルト係合辺４ａの内縁に接触させながら引っ張ることで、結束用ベルト２を係止状態に保つ。図３（Ｂ）を参照して、面ファスナの雄９ａと雌９ｂを脱着可能な状態で結合して、固定する。ベルト係合辺３ａに設けられたリング状の取っ手１２は、結束用ベルト２を係止状態にしたとき、該結束用ベルト２の表面２ｓから遠ざかる方向に折れ曲がった状態になり、リング状の取っ手１２と結束用ベルトの表面２ｓとの間に隙間ができる。このような状態で、パレット６の上に置かれたフィルムロール７入りの複数個のダンボール箱８は、パレット６の上で、荷崩れが防止されながら、ユーザに向けてトラックなどで搬送される。
【００２５】
次に、ユーザに到着して後の解錠の動作について説明する。
【００２６】
ユーザに届けられた後、図４（Ａ）を参照して、まず、面ファスナー９ａ、９ｂを指１０で持ち紐５を摘んで、その結合を解く。次に、リング状の取っ手１２と結束用ベルトの表面２ｓとの間の隙間に指１０を添えて、リング状の取っ手１２を指１０で矢印方向に持ち上げることによって、解錠の動作に入る。リング状の取っ手１２の、上部リング３のベルト係合辺３ａから延びる方向の長さＬ1は、結束用ベルト２の一方端２ａが取り付けられた上部リング３の辺３ｂとベルト係合辺３ａとを最短の線分で結んだときの、その線分の長さＬ2と同じか、またはそれよりも長くされている。したがって、上部リング３のベルト係合辺３ａと下部リング４のベルト係合辺４ａとの接点Ｐで密着されて固定されている結束ベルトの他方端部２ｂを緩める矢印方向の初期の力が、てこの原理により、小さくなる。
【００２７】
接点Ｐでの密着が緩むと次に、図４（Ｂ）を参照して、上部リング３と下部リング４との他方の接点Ｑを支点にして、矢印方向にさらに回転を続ける。すると、上下２個のリング３，４の間に挟まれしっかりと締め付けられていた結束用ベルトが緩められ、大きな指つまみ部１３ができる。次に、図４（Ｃ）を参照して、指つまみ部１３を指１０で手繰り寄せると、上下リング３、４のリング穴から結束用ベルト２の他方端２ｂを抜き取ることができる。このようにリング状の取っ手１２を設けることにより、解錠の作業が容易となり、ひいては従来の問題点であった作業者の腰痛負荷などが大幅に軽減される。使用済みのリターナブル荷崩れ防止ベルトはパレットとともに、供給元に返却される。
【００２８】
なお、図１、図２等を再び参照して、上部及び下部リング３，４は、角が丸くされているのが好ましい。角が丸められていると、結束、搬送、解錠の際に、ダンボール箱８を傷つけない。また、上部及び下部リング３，４、リング状の取っ手１２は、図１等では、角丸長方形断面を有する部材で形成された場合を例示したが、本発明は、これに限られるものでなく例えば角丸正方形断面、円形断面、楕円形断面を有する部材で形成されてもよい。
【００２９】
さらに、図１（Ｂ）を再び参照して、結束用ベルト２は、木綿と化学繊維をブレンド配合した綿混素材で形成されるのが好ましい。丈夫で、しかもしなやかな風合いになる。
【００３０】
リング状の取っ手１２が一体的に設けられた上記上部リング３及び下部リング４は、金属又は頑丈なプラスチックで形成されるのが好ましい。
【００３１】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３２】
本発明のリターナブル荷崩れ防止ベルトは、結束後の解錠が容易に行える。
【符号の説明】
【００３３】
１ リターナブル荷崩れ防止ベルト
２ 結束用ベルト
２ａ      結束用ベルトの一方端
２ｂ      結束用ベルトの他方端
２ｓ      係止状態にしたときの結束用ベルトの表面
３ 上部リング
３ａ      ベルト係合辺
３ｂ      結束用ベルトの一方端が取り付けられた上部リングの辺
４ 下部リング
４ａ      ベルト係合辺
５ 持ち紐
６ パレット
７ フィルムロール
８ ダンボール箱
９ａ      面ファスナーの雄
９ｂ      面ファスナーの雌
１０ 指
１１ 糸
１２ リング状の取っ手
１３ 指つまみ部
Ｐ   上部リングのベルト係合辺と下部リングのベルト係合辺との接点
Ｑ   上部リングと下部リングとの他方の接点
【図１】
2018177340.tif 000003
【図２】
2018177340.tif 000004
【図３】
2018177340.tif 000005
【図４】
2018177340.tif 000006
【図５】
2018177340.tif 000007
【図６】
2018177340.tif 000008
【図７】
2018177340.tif 000009
【図８】
2018177340.tif 000010